(57)【特許請求の範囲】
【請求項１】
固定側部材のコネクタに接続される第１の配線板と、可動側部材のコネクタに接続される第２の配線板と、平行に延在形成された前記第１の配線板と前記第２の配線板とを接続する第３の配線板とを備え、前記第２の配線板を前記第１の配線板の延在方向と反対方向に折り返すように湾曲させて取り付けられるフレキシブル配線板において、
前記固定側部材と前記可動側部材との間に形成される前記延在方向の隙間に対向する前記第２の配線板の対向部分に、幅を広くした補強部を形成すると共に、
前記補強部の両端に、前記延在方向又は前記反対方向に対して傾斜する傾斜部を設け、該補強部の両端部の幅を中央部よりも狭くした、
ことを特徴とするフレキシブル配線板。
【請求項２】
記録媒体が載置されるトレイと、該トレイを移動可能に支持するシャーシと、前記トレイを記録媒体交換位置または記録媒体装着位置へ移動させる移動機構と、前記トレイに設けられ前記トレイに載置された記録媒体に対し記録または再生を行う記録再生部と、前記記録再生部と前記シャーシとの間を接続するフレキシブル配線板とを備えてなる記録再生装置において、
前記フレキシブル配線板は、前記シャーシ側のコネクタに接続される第１の配線板と、前記トレイ側のコネクタに接続される第２の配線板と、平行に延在形成された前記第１の配線板と前記第２の配線板とを接続する第３の配線板とを備え、
前記シャーシと前記トレイとの間に形成される前記第１及び第２の配線板の延在方向の隙間に対向する前記第２の配線板の対向部分に、幅を広くした補強部を形成すると共に、
前記補強部の両端に、前記延在方向又は該延在方向と反対方向に対して傾斜する傾斜部を設け、該補強部の両端部の幅を中央部よりも狭くした、
ことを特徴とする記録再生装置。
【発明の詳細な説明】
【０００１】
【発明の属する技術分野】
本発明は固定側と可動側との間を湾曲して接続し、可動側の移動に応じて湾曲部分も移動するように配設されたフレキシブル配線板及びそのフレキシブル配線板を用いた記録再生装置に関する。
【０００２】
【従来の技術】
例えば、例えばＣＤ−ＲＯＭあるいはＣＤ−Ｒ，ＣＤ−ＲＷ，ＤＶＤ−ＲＯＭ，ＤＶＤ−ＲＡＭ等のディスク状記録媒体（以下「ディスク」と称す）等の記録媒体が装着されるディスク装置では、ノート型パーソナルコンピュータの小型化、薄型化の要求に伴い、ディスク装置自体の薄型化が図られており、このためディスクが載置されるトレイとトレイを摺動可能に支持するシャーシとの間に形成される空間が狭くなっている。
【０００３】
また、トレイには、ディスクを回転駆動するターンテーブルと、ターンテーブルにクランプされたディスクの表面にレーザ光を照射してディスクに記録された情報を読み取る光ピックアップが設けられている。そして、ディスク装置においては、シャーシ内部に基板が設けられており、可動側としてのトレイと固定側としてのシャーシ内の基板との間がフレキシブル配線板を介して接続されている。
【０００４】
また、フレキシブル配線板は、平面形状がコ字状に形成されており、一端がシャーシ内の基板に設けられたコネクタに接続され、他端が一端の延在方向と反対方向に延在するように湾曲されてトレイに設けられたコネクタに接続される。そのため、トレイの移動に応じてフレキシブル配線板の湾曲部分も移動してトレイの移動を妨げないようになっている。
【０００５】
ここで、図１４（Ａ）（Ｂ）を参照して従来例の構成について説明する。
図１４（Ａ）に示すように、ディスク装置１０２を構成するトレイ１０６には、ディスクが載置されるターンテーブル１３４と、ディスクに記録された情報を光学的に検出するピックアップ部（図示せず）等が設けられている。
【０００６】
また、トレイ１０６とシャーシ１０４との間には、フレキシブルケーブル１１０が配設されている。このフレキシブル配線板１１０は、トレイ１０６とシャーシ１０４との位置関係に応じて湾曲した状態で配設されている。更に、フレキシブル配線板１１０は、トレイ１０６に配設された基板１３８とシャーシ１０４内に配設された基板１４０とを電気的に接続しており、トレイ１０６が移動する際、湾曲部１１０ａがトレイ１０６の摺動に追従してシャーシ１０４内を移動する。
【０００７】
【発明が解決しようとする課題】
図１４（Ｂ）に示されるように、ディスク装置１０２の薄型化により、シャーシ１０４内部は狭く、フレキシブル配線板１１０が緩やかに撓むことができない。従って、トレイ１０６がシャーシ１０４内に収納される時にはフレキシブル配線板１１０の湾曲部１１０ａがシャーシ１０４の天板１０４ａに接触する。その場合、天板１０４ａとの接触抵抗により、湾曲部１１０ａが摺動できなくなると、フレキシブル配線板１１０がたるんでしまいトレイ１０６とシャーシ１０４との隙間１０８からフレキシブル配線板１１０の一部分１１０ｂがはみ出てしまう。
【０００８】
更に、トレイ１０６がシャーシ１０４内へ移動し続けると、トレイ後縁部１０６ａとシャーシ前縁部１０４ｂとの間で、前記フレキシブル配線板１１０のはみ出た部分１１０ｂを挟んでしまうという問題が生ずる。
【０００９】
そこで、本発明は上記の点に鑑みてなされたものであり、トレイのシャーシへの収納時にフレキシブル配線板の一部分がトレイとシャーシとの隙間からはみ出ることを防止するフレキシブル配線板及びそのフレキシブル配線板を用いた記録再生装置を提供することを目的とする。
【００１０】
【課題を解決するための手段】
本発明は上記課題を解決するため、以下のような特徴を有する。
上記請求項１記載の発明は、固定側部材のコネクタに接続される第１の配線板と、可動側部材のコネクタに接続される第２の配線板と、平行に延在形成された前記第１の配線板と前記第２の配線板とを接続する第３の配線板とを備え、前記第２の配線板を前記第１の配線板の延在方向と反対方向に折り返すように湾曲させて取り付けられるフレキシブル配線板において、前記固定側部材と前記可動側部材との間に形成される前記延在方向の隙間に対向する前記第２の配線板の対向部分に、幅を広くした補強部を形成すると共に、前記補強部の両端に、前記延在方向又は前記反対方向に対して傾斜する傾斜部を設け、該補強部の両端部の幅を中央部よりも狭くしたものであり、固定側部材と可動側部材との間に形成される隙間から第２の配線板がはみ出すことを防止する。
【００１４】
また、請求項２記載の発明は、記録媒体が載置されるトレイと、該トレイを移動可能に支持するシャーシと、前記トレイを記録媒体交換位置または記録媒体装着位置へ移動させる移動機構と、前記トレイに設けられ前記トレイに載置された記録媒体に対し記録または再生を行う記録再生部と、前記記録再生部と前記シャーシとの間を接続するフレキシブル配線板とを備えてなる記録再生装置において、前記フレキシブル配線板は、前記シャーシ側のコネクタに接続される第１の配線板と、前記トレイ側のコネクタに接続される第２の配線板と、平行に延在形成された前記第１の配線板と前記第２の配線板とを接続する第３の配線板とを備え、前記シャーシと前記トレイとの間に形成される前記第１及び第２の配線板の延在方向の隙間に対向する前記第２の配線板の対向部分に、幅を広くした補強部を形成すると共に、前記補強部の両端に、前記延在方向又は該延在方向と反対方向に対して傾斜する傾斜部を設け、該補強部の両端部の幅を中央部よりも狭くしたものであり、固定側部材と可動側部材との間に形成される隙間から第２の配線板がはみ出すことを防止する。
【００１８】
【発明の実施の形態】
以下、図面と共に本発明の一実施例について説明する。
図１は本発明になるフレキシブル配線板が適用されたディスク装置の一実施例を示す平面図である。
図１に示されるように、ディスク装置１１は、例えばＣＤ−ＲＯＭあるいはＣＤ−Ｒ，ＣＤ−ＲＷ，ＤＶＤ−ＲＯＭ，ＤＶＤ−ＲＡＭ等のディスク状記録媒体が装着されるドライブ装置であり、トレイ２０に光ディスク２２が載置されてトレイ２０が装着位置（Ｂ方向）に移動されると、記録または再生を行う。シャーシ１６に設けられた回路基板１２とトレイ２０の下面に取り付けられた基板（図示せず）との間は、フレキシブル配線板１３を介して電気的に接続されている。
【００１９】
シャーシ１６（固定側部材）の回路基板１２は、フレキシブル配線板１３の一端が接続されるコネクタ１２ａが取り付けられている。そして、トレイ２０（可動側部材）の基板には、ターンテーブル用コネクタ１４ａと、ピックアップ用コネクタ１４ｂとが取り付けられている。
【００２０】
フレキシブル配線板１３は、固定側のコネクタ１２ａに接続される第１の配線板１５と、可動側のコネクタ１４ａ，１４ｂに接続される第２の配線板１７，１９と、第１の配線板１５と第２の配線板１７，１９とを接続する第３の配線板２１とを有する。
【００２１】
また、第２の配線板１７，１９は、第１の配線板１５の延在方向（Ｂ方向）と反対方向（Ａ方向）に延在するように折り返されている。従って、第２の配線板１７，１９は、第３の配線板２１から引き出された部分がＵ字状に湾曲されており、この湾曲部分１７ｂ，１９ｂがトレイ２０の摺動動作に応じて移動する。
【００２２】
トレイ２０は、光ディスク２２をクランプして回転駆動するターンテーブル１８と、光ディスク２２の半径方向に移動可能に設けられ光ディスク２２に情報を記録したり、あるいは光ディスク２２に記録された情報を光学的に読み取る光ピックアップ２６を有する。
【００２３】
また、トレイ２０は、シャーシ１６に対してガイドレール機構４０，４２によりＡ，Ｂ方向に摺動自在に支持されており、手動操作でディスク交換位置またはディスク装着位置へ移動する。
【００２４】
図２はトレイをディスク装着位置に挿入した状態を示す平面図である。図３はトレイをディスク装着位置に挿入した状態を示す斜視図である。
【００２５】
図１及び図２に示されるように、ディスク装置１１は、トレイ２０の中央にターンテーブル１８を有しており、ターンテーブル１８は、ディスク２２の中央孔に嵌合してディスク２２を内周からクランプするクランプ機構２３を有する。また、ターンテーブル１８の周囲には、光ディスク２２の直径よりも大径なディスク収納部２４が形成されている。
【００２６】
そして、ディスク収納部２４の下方には、ターンテーブル１８のクランプ機構２３にクランプされたディスク２２に記録された情報を読み取るための光ピックアップ２６がディスク半径方向に移動可能に取り付けられている。光ピックアップ２６は、ディスク収納部２４の凹部２４ａに収納されており、凹部２４ａは光ピックアップ２６の対物レンズ２７が移動する範囲に開口２８ａを有するピックアップカバー２８で覆われている。また、トレイ２０の前端に結合された前面ベゼル３０は、中央にイジェクト釦３２が設けられている。
【００２７】
また、ターンテーブル１８の下方には、ターンテーブル１８及びクランプ機構２３にクランプされたディスク２２を回転駆動するディスクモータ（図示せず）が設けられている。
【００２８】
図１に示されるように、前面ベゼル３０に設けられたイジェクト釦３２が押圧操作されると、シャーシ１６上に設けられたロック機構（図示せず）によるトレイ２０の係止が解除される。トレイ２０は両側のガイドレール機構４０，４２を介して摺動可能に支持されているので、係止解除されたトレイ２０は手動操作によりＡ方向にスライドしてディスク交換位置に引き出される。
【００２９】
また、ディスク交換位置に引き出されたトレイ２０のターンテーブル１８にディスク２２がクランプされる。その後、操作者は前面ベゼル３０をＢ方向に押圧操作することにより、トレイ２０を図２及び図３に示すディスク装着位置に復帰させる。尚、ディスク装着位置に復帰したトレイ２０は、シャーシ１６上に設けられたロック機構（図示せず）によって係止される。
【００３０】
図２及び図３において、ピックアップ駆動機構３４は、光ピックアップ２６の移動方向を案内する一対のガイドシャフト３５，３６と、光ピックアップ２６を駆動する駆動モータ３７と、駆動モータ３７の回転駆動力を光ピックアップ２６に伝達する伝達機構３８とから構成されている。
【００３１】
また、光ピックアップ２６の両側には、一対のガイドシャフト３５，３６に係合して移動方向をガイドされる軸受部２６ａ〜２６ｃが突出している。伝達機構３８は、駆動モータ３７の回転を減速するギヤ群３８ａと、ギヤ群３８ａを介して回転駆動されるリードスクリュウ３８ｂとからなる。そして、光ピックアップ２６は、リードスクリュウ３８ｂの螺旋溝に係合する係合部２６ｄを有する。
【００３２】
従って、駆動モータ３７の回転がギヤ群３８ａを介してリードスクリュウ３８ｂに伝達されることにより光ピックアップ２６がディスク半径方向に移動する。
【００３３】
ここで、フレキシブル配線板１３について説明する。
図４はフレキシブル配線板１３の取付状態を拡大して示す図であり、（Ａ）は平面図、（Ｂ）は側面図である。図５はフレキシブル配線板１３の取付前の状態を拡大して示す図であり、（Ａ）は平面図、（Ｂ）は側面図である。
【００３４】
図４（Ａ）（Ｂ）及び図５（Ａ）（Ｂ）に示されるように、フレキシブル配線板１３は、Ｂ方向に延在形成された第１の配線板１５と、第１の配線板１５と反対方向（Ａ方向）に折り返される第２の配線板１７，１９と、第１の配線板１５及び第２の配線板１７，１９と直交する方向に延在形成された第３の配線板２１とを有する。そして、第１の配線板１５及び第３の配線板２１は、シャーシ１６の上面に密着するように貼り付けられている。
【００３５】
第１の配線板１５は、シャーシ１６に沿うように配設され、その端部に固定側のコネクタ１２ａに接続される端子１５ａが設けられている。また、第２の配線板１７，１９は、第３の配線板２１から第１の配線板１５と平行なＢ方向に延在形成されているが、組み立て工程において１８０°の方向に湾曲され、その先端にコネクタ１４ａ，１４ｂに接続される端子１７ａ，１９ａが設けられている。
【００３６】
第２の配線板１７，１９の湾曲部分１７ｂ，１９ｂは、シャーシ１６と天板との間に収納される曲率半径となるように曲げられる。
【００３７】
第２の配線板１７，１９は、トレイ２０がディスク交換位置に引き出された状態で上記湾曲部分１７ｂ，１９ｂとなる第１の区間１７Ａ，１９Ａと、湾曲部分１７ｂ，１９ｂと端子１７ａ，１９ａとの間に形成された第２の区間１７Ｂ，１９Ｂとに分けられる。
【００３８】
この第２の区間１７Ｂ，１９Ｂの側方には、幅方向に突出する補強部４４，４６が設けられている。補強部４４，４６は、図５（Ａ）に示されるように、平面図で見ると台形状に突出しており、第２の区間１７Ｂ，１９Ｂの面積を増やすことで剛性を高めている。
【００３９】
また、第２の区間１７Ｂ，１９Ｂは、トレイ２０がディスク交換位置に引き出されたとき、トレイ２０の後端部４８とシャーシ１６の前端部５０との間に形成される隙間５２に対向する位置となる。そして、補強部４４，４６は、両端にＡ，Ｂ方向に対して所定角度（α１〜α４）で傾斜する傾斜部４４ａ，４４ｂ，４６ａ，４６ｂを有する。傾斜部４４ａ，４４ｂ，４６ａ，４６ｂは、トレイ２０がＡ，Ｂ方向に摺動するとき、上記トレイ２０の後端部４８またはシャーシ１６の前端部５０に摺接した際に補強部４４，４６が引っ掛からないようにしている。
【００４０】
図６はトレイ２０及びフレキシブル配線板１３の動作を示す図であり、（Ａ）はトレイ２０がディスク交換位置に引き出された状態を示す側面断面図、（Ｂ）はトレイ２０がディスク装着位置へ復帰させる動作過程を示す側面断面図である。
【００４１】
図６（Ａ）（Ｂ）に示されるように、トレイ２０をＡ，Ｂ方向に摺動させるとき、第１の区間１７Ａ，１９Ａが天板５４に接触した状態で湾曲部分１７ｂ，１９ｂがＡ，Ｂ方向へ移動する。その際、天板５４との摩擦により湾曲部分１７ｂ，１９ｂの移動が止まると、第２の区間１７Ｂ，１９Ｂを下方に押し下げる力が作用する。しかしながら、第２の区間１７Ｂ，１９Ｂは、補強部４４，４６によって補強されているので、第１の区間１７Ａ，１９Ａよりも剛性が高められている。
【００４２】
よって、トレイ２０を装着位置へ摺動させる過程で天板５４との摺動抵抗によって湾曲部分１７ｂ，１９ｂが移動しない場合でも、第２の区間１７Ｂ，１９Ｂからの押圧力によって湾曲部分１７ｂ，１９ｂをＢ方向へ移動させることが可能になり、第２の区間１７Ｂ，１９Ｂがトレイ２０の後端部４８とシャーシ１６の前端部５０との間の隙間５２からはみ出すことが防止される。
【００４３】
このように、フレキシブル配線板１３は、トレイ２０を移動させる際に隙間５２からはみ出すことがなくなり、トレイ２０の装着動作をスムーズ且つ確実に行える。
【００４４】
また、補強部４４，４６の突出形状としては、上記のような台形状に拘わらず、他の形状（例えば、半円形、半楕円形など）としても良いのは勿論である。
【００４５】
次にフレキシブル配線板１３の変形例について説明する。
図７はフレキシブル配線板１３の変形例１を示す平面図である。尚、図７において、前述した実施例と同一部分には同一符号を付してその説明を省略する。
【００４６】
図７に示されるように、変形例１のフレキシブル配線板１３Ａは、補強部４４，４６が設けられた第２の区間１７Ｂ，１９Ｂの裏面に補強膜６０（図７中点線によるハッチングで示す）がシルクスクリーン印刷法で被覆形成されている。この補強膜６０は、フレキシブル配線板１３の素材よりも剛性が高い材質の塗料を塗布したものである。
【００４７】
このように、変形例１のフレキシブル配線板１３Ａでは、第２の区間１７Ｂ，１９Ｂの裏面に補強膜６０が被覆されて剛性が高められているので、第２の区間１７Ｂ，１９Ｂがトレイ２０の後端部４８とシャーシ１６の前端部５０との間の隙間５２からはみ出すことが防止される。
【００４８】
尚、フレキシブル配線板１３の絶縁層の材料としては、ポリイミド、ポリエステル、ポリウレタン、アクリル等の樹脂材が使用されるが、記録再生装置１１の使用温度、製造コスト等を考慮して適宜、材料を選択することが望ましい。
【００４９】
また、本実施例では、フレキシブル配線板１３の第２の区間１７Ｂ，１９Ｂの裏面にシルクスクリーン印刷により塗料を印刷して補強膜６０を形成したが、塗料の材質や天板５４の構造等によって裏面及び表面あるいは何れか一方の面だけシルクスクリーン印刷を施す方がよい場合もある。更に、フレキシブル配線板１３の第２の区間１７Ｂ，１９Ｂの剛性を高めるためには、塗料のシルクスクリーン印刷による印刷以外の方法を用いることも可能である。
図８はフレキシブル配線板１３の変形例２を示す平面図である。尚、図８において、前述した実施例と同一部分には、同一符号を付してその説明を省略する。
【００５０】
図８に示されるように、変形例２のフレキシブル配線板１３Ｂは、他の回路パターン（図示せず）を形成させる際に、補強部４４，４６の内部に補強用導電パターン６２，６４を形成し、補強用導電パターン６２，６４を絶縁層で被覆する。
【００５１】
補強用導電パターン６２，６４は、通常の回路パターンと同様に銅箔で形成されているが、他の回路パターンよりも幅が広く、面積が大きいので、剛性が高められている。
【００５２】
このように、変形例２では、補強部４４，４６の内部に補強用導電パターン６２，６４が形成されて剛性が高められているので、第２の区間１７Ｂ，１９Ｂがトレイ２０の後端部４８とシャーシ１６の前端部５０との間の隙間５２からはみ出すことが防止される。
【００５３】
尚、変形例２において、補強用導電パターン６２，６４の形状及び材質は、上記のものに限らないのは言うまでもない。
図９はフレキシブル配線板１３の変形例３を示す平面図である。尚、図９において、前述した実施例と同一部分には、同一符号を付してその説明を省略する。
【００５４】
図９に示されるように、変形例３のフレキシブル配線板１３Ｃは、補強部４４，４６が設けられた第２の区間１７Ｂ，１９Ｂの裏面に補強膜６０（図９中、破線で示す）がシルクスクリーン印刷で形成されている。
【００５５】
さらに、フレキシブル配線板１３Ｃは、他の回路パターン（図示せず）を形成させる際に、補強部４４，４６の内部に補強用導電パターン６２，６４を形成し、補強用導電パターン６２，６４を絶縁層で被覆する。
【００５６】
このように、変形例３では、第２の区間１７Ｂ，１９Ｂの裏面に補強膜６０が被覆されて剛性が高められ、さらに、補強部４４，４６の内部に補強用導電パターン６２，６４が形成されて剛性が高められているので、第２の区間１７Ｂ，１９Ｂがトレイ２０の後端部４８とシャーシ１６の前端部５０との間の隙間５２からはみ出すことが確実に防止される。
図１０はフレキシブル配線板１３の変形例４の取付状態を拡大して示す図であり、（Ａ）は平面図、（Ｂ）は側面図である。図１１はフレキシブル配線板１３の変形例４の取付前の状態を拡大して示す図であり、（Ａ）は平面図、（Ｂ）は側面図である。尚、図１０及び図１１において、前述した図４及び図５に示す実施例と同一部分には同一符号を付してその説明を省略する。
【００５７】
図１０（Ａ）（Ｂ）及び図１１（Ａ）（Ｂ）に示されるように、変形例４のフレキシブル配線板１３では、第２の配線板１７，１９の第２の区間１７Ｂ，１９Ｂの側方に幅方向に突出する補強部４４，４６，６７が設けられている。
【００５８】
補強部４７は、第２の配線板１９の一側に設けられた補強部４６と対称となる他側に突出するように形成されており、補強部４６と同様に傾斜部４７ａ，４７ｂを有する。
【００５９】
第２の配線板１９では、第２の区間１９Ｂの両側に補強部４６，６７が突出形成されているので、第２の区間１９Ｂの導電パターン幅寸法Ｌ２は、第１の区間１９Ａの導電パターン幅寸法Ｌ１よりも幅広になっている（Ｌ２＞Ｌ１）。よって、補強部４４，４６，６７は、図１１（Ａ）に示されるように、平面図で見ると台形状に突出しており、第２の区間１７Ｂ，１９Ｂの面積を増やすことで剛性を高めている。
【００６０】
従って、第２の配線板１９は、第２の区間１９Ｂの両側に補強部４６，６７が設けられて剛性がより一層高められているので、第２の区間１９Ｂがトレイ２０の後端部４８とシャーシ１６の前端部５０との間の隙間５２からはみ出すことが防止される。尚、フレキシブル配線板１３に前述したシルクスクリーン印刷法による補強膜６０（図７中点線によるハッチングで示す）を被覆形成しても良い。図１２はフレキシブル配線板１３の変形例５の取付状態を拡大して示す図であり、（Ａ）は平面図、（Ｂ）は側面図である。図１３はフレキシブル配線板１３の変形例５の取付前の状態を拡大して示す図であり、（Ａ）は平面図、（Ｂ）は側面図である。尚、図１２及び図１３において、前述した図４及び図５に示す実施例と同一部分には同一符号を付してその説明を省略する。
【００６１】
図１２（Ａ）（Ｂ）及び図１３（Ａ）（Ｂ）に示されるように、変形例５のフレキシブル配線板１３は、第２の配線板１９には端子１９ａに接続された導電パターン７０が形成されており、導電パターン７０の第２の区間１９Ｂに対応する範囲の両側には、幅方向に突出する補強用導電パターン（図１２，図１３中、破線で示す）６８，６９が設けられている。
【００６２】
第２の配線板１９では、導電パターン７０の両側に幅広形状の補強用導電パターン６８，６９が形成されているので、第２の区間１９Ｂの幅寸法Ｌ２は、第１の区間１９Ａの幅寸法Ｌ１よりも幅広になっている（Ｌ２＞Ｌ１）。従って、補強用導電パターン６８，６９は、第２の区間１９Ｂの導電パターン面積を増やすことで剛性を高めている。
【００６３】
また、上記導電パターン７０は、幅寸法は、図１１に示す第２の配線板１９の幅寸法Ｌ１とほぼ同一寸法であり、補強用導電パターン６８，６９となる部分の幅寸法が第２の配線板１９の幅寸法Ｌ２とほぼ同一寸法である。
【００６４】
このように、変形例５では、導電パターン７０のうち第２の区間１９Ｂに対応する範囲の両側に補強用導電パターン６８，６９が設けられているので、剛性がより一層高められており、第２の区間１９Ｂがトレイ２０の後端部４８とシャーシ１６の前端部５０との間の隙間５２からはみ出すことが防止される。そのため、フレキシブル配線板１３は、裏面に前述したシルクスクリーン印刷法による補強膜６０（図７中点線によるハッチングで示す）を被覆形成する必要がない。
【００６５】
また、上記補強用導電パターン６８，６９は、他の回路パターン（信号線）と別個に設けても良いし、他の回路パターン（信号線）と一体に設けても良い。
【００６６】
尚、上記実施例では、例えばＣＤ−ＲＯＭあるいはＣＤ−Ｒ，ＣＤ−ＲＷ，ＤＶＤ−ＲＯＭ，ＤＶＤ−ＲＡＭ等の記録媒体が装着されるドライブ装置からなるディスク装置を一例として挙げたが、これに限らず、本発明を他の電子機器（固定側と可動側との間を湾曲して接続し、可動側の移動に応じて湾曲部分も移動するように配設されたフレキシブル配線板を有する機器）にも適用できるのは勿論である。
【００６７】
上述の如く、請求項１記載の発明によれば、固定側のコネクタに接続される第１の配線板と、可動側のコネクタに接続される第２の配線板と、平行に延在形成された前記第１の配線板と前記第２の配線板とを接続する第３の配線板とを備え、前記第２の配線板を前記第１の配線板の延在方向と反対方向に折り返すように湾曲させて取り付けられるフレキシブル配線板において、固定側と可動側との間に形成される延在方向の隙間に対向する前記第２の配線板の対向部分に、幅を広くした補強部を形成すると共に、補強部の両端に、延在方向又は反対方向に対して傾斜する傾斜部を設け、該補強部の両端部の幅を中央部よりも狭くしたため、固定側と可動側との間に形成される隙間からはみ出すことを防止でき、可動側がフレキシブル配線板を挟んで復帰できなくことを防止できる。
【００７１】
また、請求項２記載の発明によれば、記録媒体が載置されるトレイと、該トレイを移動可能に支持するシャーシと、前記トレイを記録媒体交換位置または記録媒体装着位置へ移動させる移動機構と、前記トレイに設けられ前記トレイに載置された記録媒体に対し記録または再生を行う記録再生部と、前記記録再生部と前記シャーシとの間を接続するフレキシブル配線板とを備えてなる記録再生装置において、フレキシブル配線板は、シャーシ側のコネクタに接続される第１の配線板と、トレイ側のコネクタに接続される第２の配線板と、平行に延在形成された前記第１の配線板と前記第２の配線板とを接続する第３の配線板とを備え、シャーシとトレイとの間に形成される前記第１及び第２の配線板の延在方向の隙間に対向する前記第２の配線板の対向部分に、幅を広くした補強部を形成すると共に、補強部の両端に、延在方向又は該延在方向と反対方向に対して傾斜する傾斜部を設け、該補強部の両端部の幅を中央部よりも狭くしたため、第２の配線板の対向部分の剛性を高めて固定側のシャーシと可動側のトレイとの間に形成される隙間からはみ出すことを防止でき、トレイがフレキシブル配線板を挟んで復帰できなくことを防止できる。
【図面の簡単な説明】
【図１】本発明になるフレキシブル配線板が適用されたディスク装置の一実施例を示す平面図である。
【図２】トレイをディスク装着位置に挿入した状態を示す平面図である。
【図３】トレイをディスク装着位置に挿入した状態を示す斜視図である。
【図４】フレキシブル配線板１３の取付状態を拡大して示す図であり、（Ａ）は平面図、（Ｂ）は側面図である。
【図５】フレキシブル配線板１３の取付前の状態を拡大して示す図であり、（Ａ）は平面図、（Ｂ）は側面図である。
【図６】トレイ２０及びフレキシブル配線板１３の動作を示す図であり、（Ａ）はトレイ２０がディスク交換位置に引き出された状態を示す側面断面図、（Ｂ）はトレイ２０がディスク装着位置へ復帰させる動作過程を示す側面断面図である。
【図７】フレキシブル配線板１３の変形例１を示す平面図である。
【図８】フレキシブル配線板１３の変形例２を示す平面図である。
【図９】フレキシブル配線板１３の変形例３を示す平面図である。
【図１０】フレキシブル配線板１３の変形例４の取付状態を拡大して示す図であり、（Ａ）は平面図、（Ｂ）は側面図である。
【図１１】フレキシブル配線板１３の変形例４の取付前の状態を拡大して示す図であり、（Ａ）は平面図、（Ｂ）は側面図である。
【図１２】フレキシブル配線板１３の変形例５の取付状態を拡大して示す図であり、（Ａ）は平面図、（Ｂ）は側面図である。
【図１３】フレキシブル配線板１３の変形例５の取付前の状態を拡大して示す図であり、（Ａ）は平面図、（Ｂ）は側面図である。
【図１４】従来例の動作を示す図であり、（Ａ）はトレイがディスク交換位置に引き出された状態を示す側面断面図、（Ｂ）はトレイがディスク装着位置へ復帰させる動作過程を示す側面断面図である。
【符号の説明】
１１  ディスク装置
１２  回路基板
１２ａ，１４ａ，１４ｂ  コネクタ
１５  第１の配線板
１５ａ，１７ａ，１９ａ  端子
１６  シャーシ
１７，１９  第２の配線板
１７ｂ，１９ｂ  湾曲部分
１７Ａ，１９Ａ  第１の区間
１７Ｂ，１９Ｂ  第２の区間
１８  ターンテーブル
２０  トレイ
２１  第３の配線板
２２  光ディスク
２３  クランプ機構
２６  光ピックアップ
４０，４２  ガイドレール機構
３０  前面ベゼル
５２  隙間
４４，４６，６７  補強部
４４ａ，４４ｂ，４６ａ，４６ｂ，６７ａ，６７ｂ  傾斜部
６０  補強膜
６２，６４，６８，６９  補強用導電パターン
７０  導電パターン
【図１】
0004016696.tif 000002
【図２】
0004016696.tif 000003
【図３】
0004016696.tif 000004
【図４】
0004016696.tif 000005
【図５】
0004016696.tif 000006
【図６】
0004016696.tif 000007
【図７】
0004016696.tif 000008
【図８】
0004016696.tif 000009
【図９】
0004016696.tif 000010
【図１０】
0004016696.tif 000011
【図１１】
0004016696.tif 000012
【図１２】
0004016696.tif 000013
【図１３】
0004016696.tif 000014
【図１４】
0004016696.tif 000015